【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
画像表示装置に映像信号を送出し、画像表示装置と制御信号の送受信をおこなう映像記録再生装置であって、
記録メディアに記録されたデータを再生した再生映像信号を入力として解像感強調処理を施した第１の映像信号を出力する第１の信号処理手段と、
前記第１の信号処理手段を制御し、前記画像表示装置と制御信号の送受信をおこなう第１の制御手段と
を備え、
前記第１の信号処理手段が、入力された前記再生映像信号から特定の周波数帯域近傍の成分を取り出して第１の中間画像を生成する第１の中間画像生成手段と、前記第１の中間画像に非線形処理を施して高周波成分が増加した第２の中間画像を生成する第１の中間画像処理手段と、前記再生映像信号と前記第２の中間画像を加算する第１の加算手段を有し、
前記第１の制御手段が、前記画像表示装置と前記第１の信号処理手段の制御情報の送受を行い、接続された画像表示装置が解像感強調処理機能を持っていることを認識したら、解像感強調処理をしないようにすることを特徴とする映像記録再生装置。
【請求項２】
前記第１の制御手段の制御信号に基づいて、前記第１の中間画像処理手段から出力される前記第１の中間画像を制御することにより、解像感強調処理の程度を制御することを特徴とする請求項１に記載の映像記録再生装置。
【請求項３】
前記第１の中間画像生成手段は、入力された前記再生映像信号から高周波数成分のみを取り出した第１の高周波数成分画像を生成する第１の高周波数成分画像生成手段と、前記第１の高周波数成分画像の低周波数成分のみを取り出す第１の低周波数成分画像生成手段を有することを特徴とする請求項２に記載の映像記録再生装置。
【請求項４】
前記第１の中間画像処理手段は、前記第１の中間画像の各画素値を画素に応じて変化させた増幅率で増幅した非線形処理画像を生成する第１の非線形処理手段と、前記非線形処理画像の高周波数成分のみを取り出した第２の高周波数成分画像を生成する第２の高周波数成分画像生成手段と、前記第１の中間画像と前記第２の高周波数成分画像を加算する第１の加重加算手段を有することを特徴とする請求項２に記載の映像記録再生装置。
【請求項５】
前記第１の高周波数成分画像生成手段は、入力された前記再生映像信号の各画素の水平方向近傍に存在する画素を用いて高周波数成分を取り出した第１の水平方向高周波数成分画像を生成する第１の水平方向高周波数成分画像生成手段と、入力された前記再生映像信号の各画素の垂直方向近傍に存在する画素を用いて高周波数成分を取り出した第１の垂直方向高周波数成分画像を生成する第１の垂直方向高周波数成分画像生成手段を有し、前記第１の低周波数成分画像生成手段は、前記第１の水平方向高周波数成分画像の低周波数成分のみを取り出した第１の水平方向中間画像を生成する第１の水平方向低周波数成分画像生成手段と、前記第１の垂直方向高周波数成分画像の低周波数成分のみを取り出した第１の垂直方向中間画像を生成する第１の垂直方向低周波数成分画像生成手段を有することを特徴とする請求項３記載の映像記録再生装置。
【請求項６】
前記第１の非線形処理手段は、前記第１の水平方向中間画像の各画素値を画素に応じて変化させた増幅率で増幅した水平方向非線形処理画像を生成する第１の水平方向非線形処理手段と、前記第１の垂直方向中間画像の各画素値を画素に応じて変化させた増幅率で増幅した垂直方向非線形処理画像を生成する第１の垂直方向非線形処理手段を有し、
前記第２の高周波数成分画像生成手段は、前記水平方向非線形処理画像の高周波数成分のみを取り出した第２の水平方向高周波数成分画像を生成する第２の水平方向高周波数成分画像生成手段と、前記垂直方向非線形処理画像の高周波数成分のみを取り出した第２の垂直方向高周波数成分画像を生成する第２の垂直方向高周波数成分画像生成手段を有することを特徴とする請求項４記載の映像記録再生装置。
【請求項７】
前記第１の水平方向非線形処理手段は、前記第１の水平方向中間画像の画素値が正から負もしくは負から正へと変化する箇所をゼロクロス点として判定する第１の水平方向ゼロクロス点判定手段と、前記第１の水平方向ゼロクロス点判定手段の判定結果に応じて前記第１の水平方向中間画像の各画素に対する増幅率を決定する第１の水平方向信号増幅手段を有し、
前記第１の垂直方向非線形処理手段は、前記第１の垂直方向中間画像の画素値が正から負もしくは負から正へと変化する箇所をゼロクロス点として判定する第１の垂直方向ゼロクロス点判定手段と、前記第１の垂直方向ゼロクロス点判定手段の判定結果に応じて前記第１の垂直方向中間画像の各画素に対する増幅率を決定する第１の垂直方向信号増幅手段を有することを特徴とする請求項６記載の映像記録再生装置。
【請求項８】
映像記録再生装置から映像信号を受信し、映像記録再生装置と制御信号の送受信をおこなう画像表示装置であって、
前記映像記録再生装置から入力された前記第２の映像信号に解像感強調処理を施した第３の映像信号を出力する第２の信号処理手段と、
前記第３の映像信号を画像表示するモニタと、
前記第２の信号処理手段を制御し、前記画像表示装置と制御信号の送受信をおこなう第２の制御手段と、
を備え、
前記第２の制御手段が、前記映像記録再生装置の前記第１の信号処理手段の制御情報に基づいて、解像感強調処理が過剰にならないように前記第２の信号処理手段の解像感強調処理の制御を行うことを特徴とする画像表示装置。
【請求項９】
前記第２の信号処理手段が、入力された前記第２の映像信号から特定の周波数帯域近傍の成分を取り出して第３の中間画像を生成する第２の中間画像生成手段と、前記第３の中間画像に非線形処理を施して高周波成分が増加した第４の中間画像を生成する第２の中間画像処理手段と、前記再生映像信号と前記第４の中間画像を加算する第２の加算手段を有し、
前記第２の制御手段の制御信号に基づいて、前記第２の中間画像処理手段から出力される前記第４の中間画像を制御することにより、解像感強調処理の程度を制御することを特徴とする請求項８に記載の画像表示装置。
【請求項１０】
前記第２の中間画像生成手段は、入力された第２の映像信号から高周波数成分のみを取り出した第３の高周波数成分画像を生成する第３の高周波数成分画像生成手段と、前記第３の高周波数成分画像の低周波数成分のみを取り出す第２の低周波数成分画像生成手段を有することを特徴とする請求項９に記載の画像表示装置。
【請求項１１】
前記第２の中間画像処理手段は、前記第３の中間画像の各画素値を画素に応じて変化させた増幅率で増幅した非線形処理画像を生成する第２の非線形処理手段と、前記非線形処理画像の高周波数成分のみを取り出した第４の高周波数成分画像を生成する第４の高周波数成分画像生成手段と、前記第３の中間画像と前記第４の高周波数成分画像を加算する第２の加重加算手段を有することを特徴とする請求項９に記載の画像表示装置。
【請求項１２】
前記第３の高周波数成分画像生成手段は、入力された第２の映像信号の各画素の水平方向近傍に存在する画素を用いて高周波数成分を取り出した第３の水平方向高周波数成分画像を生成する第３の水平方向高周波数成分画像生成手段と、入力された前記第２の映像信号の各画素の垂直方向近傍に存在する画素を用いて高周波数成分を取り出した第３の垂直方向高周波数成分画像を生成する第３の垂直方向高周波数成分画像生成手段を有し、前記第２の低周波数成分画像生成手段は、前記第３の水平方向高周波数成分画像の低周波数成分のみを取り出した第３の水平方向中間画像を生成する第２の水平方向低周波数成分画像生成手段と、前記第３の垂直方向高周波数成分画像の低周波数成分のみを取り出した第３の垂直方向中間画像を生成する第２の垂直方向低周波数成分画像生成手段を有することを特徴とする請求項１０に記載の画像表示装置。
【請求項１３】
前記第２の非線形処理手段は、前記第３の水平方向中間画像の各画素値を画素に応じて変化させた増幅率で増幅した水平方向非線形処理画像を生成する第２の水平方向非線形処理手段と、前記第３の垂直方向中間画像の各画素値を画素に応じて変化させた増幅率で増幅した垂直方向非線形処理画像を生成する第２の垂直方向非線形処理手段を有し、
前記第４の高周波数成分画像生成手段は、前記水平方向非線形処理画像の高周波数成分のみを取り出した第４の水平方向高周波数成分画像を生成する第４の水平方向高周波数成分画像生成手段と、第２の前記垂直方向非線形処理画像の高周波数成分のみを取り出した第４の垂直方向高周波数成分画像を生成する第４の垂直方向高周波数成分画像生成手段を有することを特徴とする請求項１１に記載の画像表示装置。
【請求項１４】
前記第２の水平方向非線形処理手段は、前記第３の水平方向中間画像の画素値が正から負もしくは負から正へと変化する箇所をゼロクロス点として判定する第２の水平方向ゼロクロス点判定手段と、前記第２の水平方向ゼロクロス点判定手段の判定結果に応じて前記第３の水平方向中間画像の各画素に対する増幅率を決定する第２の水平方向信号増幅手段を有し、
前記第２の垂直方向非線形処理手段は、前記第３の垂直方向中間画像の画素値が正から負もしくは負から正へと変化する箇所をゼロクロス点として判定する第２の垂直方向ゼロクロス点判定手段と、前記第２の垂直方向ゼロクロス点判定手段の判定結果に応じて前記第３の垂直方向中間画像の各画素に対する増幅率を決定する第２の垂直方向信号増幅手段を有することを特徴とする請求項１３記載の画像表示装置。
【手続補正２】
【補正対象書類名】明細書
【補正対象項目名】００１０
【補正方法】変更
【補正の内容】
【００１０】
本発明に係わる映像記録再生装置は、画像表示装置に映像信号を送出し、画像表示装置と制御信号の送受信をおこなう映像記録再生装置であって、
記録メディアに記録されたデータを再生した再生映像信号を入力として解像感強調処理を施した第１の映像信号を出力する第１の信号処理手段と、前記第１の信号処理手段を制御し、前記画像表示装置と制御信号の送受信をおこなう第１の制御手段とを備え、
前記第１の信号処理手段が、入力された前記再生映像信号から特定の周波数帯域近傍の成分を取り出して第１の中間画像を生成する第１の中間画像生成手段と、前記第１の中間画像に非線形処理を施して高周波成分が増加した第２の中間画像を生成する第１の中間画像処理手段と、前記再生映像信号と前記第２の中間画像を加算する第１の加算手段を有し、
前記第１の制御手段が、前記画像表示装置と前記第１の信号処理手段の制御情報の送受を行い、接続された画像表示装置が解像感強調処理機能を持っていることを認識したときに解像感強調処理をしないようにすることを特徴とする。